(57)【要約】【課題】いわばワンタッチで、履物装着のための足の締着を行える締着具を提供する。【解決手段】履物３の足の左右位置で、二つのラダーベルト１１が設けられる。ラダーベルト１１は、基端が回動可能で、先端が自由端となる。各ラダーベルト１１に沿ってスライドするラチェット具１５により、左右を保持された当て具１３が、足に当てられる。ラチェット具１５に設けられる解除レバー１７は、ラダーベルト１１の略自由端方向へ引かれることで、ラダーベルト１１との係止を解除する。両ラチェット具の両解除レバーを連結するハンドル１９が設けられ、ラダーベルト１１の自由端方向向きに、略Ｕ字状になる。以上の構成により、当て具１３を下肢の足首に向かって押し付けるだけで、いわばワンタッチで、締着を行える。また、ハンドル１９をつかんで引くだけで、いわばワンタッチで、締着が解除される。【選択図】図１
2013063125.tif 000002
【特許請求の範囲】
【請求項１】
履物の足の左右位置で基端が回動可能に設けられ先端が自由端となったラダーベルトと、各ラダーベルトに沿ってスライドするラチェット具と、両ラチェット具に左右を保持され足に当てられる当て具と、前記ラチェット具に設けられ前記ラダーベルトの略前記自由端方向へ引かれることで前記ラダーベルトとの係止を解除する解除レバーと、両ラチェット具の両前記解除レバーを連結して略前記自由端方向向きに略Ｕ字状に設けられるハンドルと、を有することを特徴とする締着具。
【請求項２】
前記履物は、靴べら型短下肢装具であり、前記ラダーベルトは、履物の足首部位の左右位置で設けられ、前記当て具は、足首に当てられることを特徴とする請求項１に記載の締着具。
【発明の詳細な説明】
【技術分野】
【０００１】
この発明は、履物、例えば下肢装具に設けられて、足を締着するための締着具に関する。
【背景技術】
【０００２】
履物、例えば下肢装具、スキー靴、特殊靴などには、足を締着するための締着具が設けられるものがある。
下記特許文献１の締着具は、下肢装具に設けられた左右のベルト状のストラップが、面ファスナーによって連結され、締着を行なう。
下記特許文献２の締着具は、下肢装具に設けられた左右のベルト状のストラップが、ラチェット機能により、相互に連結されて、締着を行なう。
【先行技術文献】
【特許文献】
【０００３】
【特許文献１】特開２００６−１５８７１５
【特許文献２】特表２００８−５１５４９０
【発明の概要】
【発明が解決しようとする課題】
【０００４】
しかしながら、たとえば肢体不自由な方が、履物を履くには、左右のベルト状のストラップを面ファスナーによって連結し締着を行なう作業でさえも、時間がかかり、困難な場合がある。
また、下記特許文献１のラチェット機能の連結によって締着を行なう作業は、一方のストラップを、他方のストラップに形成されたスリットへ通すことで、一方のストラップに形成された歯が、他方のストラップのスリットの縁に係止して、ラチェット機能を果たす。このため、ストラップをスリットへ通す等の作業に時間がかかり、困難な場合がある。
【０００５】
この発明は、以上の問題点を解決するために、たとえ肢体不自由な方であっても、短時間で容易に、いわばワンタッチで、履物装着のための足の締着を行える締着具を提供することを目的とする。
【課題を解決するための手段】
【０００６】
以上の課題を解決するために、第一発明は、履物の足の左右位置で基端が回動可能に設けられ先端が自由端となったラダーベルトと、各ラダーベルトに沿ってスライドするラチェット具と、両ラチェット具に左右を保持され足に当てられる当て具と、前記ラチェット具に設けられ前記ラダーベルトの略前記自由端方向へ引かれることで前記ラダーベルトとの係止を解除する解除レバーと、両ラチェット具の両前記解除レバーを連結して略前記自由端方向向きに略Ｕ字状に設けられるハンドルと、を有することを特徴とする締着具である。
【０００７】
第二発明は、さらに、前記履物は、靴べら型短下肢装具であり、前記ラダーベルトは、履物の足首部位の左右位置で設けられ、前記当て具は、足首に当てられることを特徴とする締着具である。
【発明の効果】
【０００８】
第一、又は第二発明によれば、履物を装着する際には、使用者は、両ラダーベルトを回動して前方に倒す。次に、使用者の下肢を履物に載せ、その後に、両ラダーベルトを回動して略上方に立てる。そして、当て具を下肢の足首に向かって押し付けると、この当て具の左右を保持する両ラチェット具が、両ラダーベルトに沿って基端方向へスライドし、このスライドが完了した位置で、ラチェット具はラダーベルトに係止し、当て具は固定される。これにより、当て具による足首の締着が行なわれる。
【０００９】
このようにして、両ラダーベルトを回動して略上方に立てた後は、当て具を下肢の足首に向かって押し付けるだけでよいので、いわばワンタッチで、締着を行える。
次に、履物を外す際には、使用者は、略Ｕ字状のハンドルをつかんでラダーベルトの略自由端方向へ引く。すると、解除レバーが略自由端方向へ引かれ、ラチェット具はラダーベルトとの係止を解除し、そして、ラダーベルトに沿って略自由端方向へスライドする。これにより、当て具は足首から離れ締着が解除される。
【００１０】
このようにして、ハンドルをつかんで引くだけでよいので、いわばワンタッチで、締着が解除される。
【図面の簡単な説明】
【００１１】
【図１】この発明の一実施形態に係る締着具を備えた靴べら型短下肢装具を、非装着状態で示す斜視図である。
【図２】図１の機能を、装着状態で示す斜視図である。
【図３】図２のラチェット具を示す断面図である。
【図４】図１のラチェット具を示す断面図である。
【発明を実施するための形態】
【００１２】
この発明の実施形態に係る締着具を、図１から図４に示す。
［全体概略］
図１に示すように、この実施形態に係る締着具１は、履物３としての靴べら型短下肢装具５に設けられるものであり、足首の締着に用いられる。
靴べら型短下肢装具５は、靴べら、すなわちシューホーンの形状を思わせる緩やかな形状が、足の裏側、つまり、ふくらはぎから踵、足裏を覆う。また、足の表側、つまり脛や足首前面、足の甲は、開放された形状になっている。
【００１３】
図２に示すように、この開放された形状を閉じるようにして、二つの締着具１が設けられる。一つは、足首を締着する第一の締着具７であり、この実施形態に係るものである。他は、脛の部分を締着する第二の締着具９である。
そして、第一の足首の締着具１においては、ラダーベルト１１が、靴べら型短下肢装具５の足首部位の左右位置で、開放形状の縁部に、２本が設けられる。当て具１３は、足首に当てられる。
【００１４】
ラダーベルト１１は、足首部位の左右位置で、基端が回動可能に設けられ、先端が自由端となっている。各ラダーベルト１１に沿ってラチェット具１５がスライド可能に設けられる。両ラチェット具に左右を保持される当て具１３が、スライドにより足に当てられる。ラチェット具１５に設けられる解除レバー１７は、ラダーベルト１１の略自由端方向へ引かれることで、ラダーベルト１１との係止を解除する。両ラチェット具の両解除レバーを連結してハンドル１９が設けられ、略自由端方向向きにＵ字状に曲げられている。
【００１５】
［ラダーベルト１１］
ラダーベルト１１は、基端が回動可能に設けられ、先端が自由端となっている。ラダーベルト１１は、通常のラチェット機構に備えられるように、片面に多数の歯２１を有し、長手方向の断面は、図３や図４に示すように、一つの歯２１は、小さな三角形の断面を有する。この三角形は、長い斜辺２３と、短い垂直に近い短辺２５を有し、うち斜辺２３は、自由端方向すなわち前方を向いている。自由端の先端には、ラチェット具１５が前方へスライドして、抜けてしまわないように、抜け止２７が取付けられる。
【００１６】
［当て具１３］
当て具１３は、両ラチェット具に左右を保持される。ラチェット具１５の基端方向へのスライドにより、足に当てられる。当て具１３の内側には、クッション材２９が設けられ、このクッション材２９は、足首の表面にフィットするように、円筒形状が半分に分割された如き、内面形状をなす。
【００１７】
［ラチェット具１５］
ラチェット具１５は、ラダーベルト１１に沿ってスライド可能に設けられる。ラチェット具１５を構成するスライドベース金具３１が、ラダーベルト１１の歯２１が形成される面とは反対面３３に、配置される。このスライドベース金具３１の左右縁部には、フランジ部３５が形成される。この両フランジ部に対し、回動可能に、係止爪３７が設けられる。この係止爪３７は、図中左回りに回動して、先端がラダーベルト１１の歯２１に係止する。図中右回りに回動して、係止が解除される。
【００１８】
この係止爪３７の後方に隣接して解除レバー１７が設けられ、この解除レバー１７により係止爪３７の左右回りが制御される。
係止爪３７や解除レバー１７を覆うカバー３８が、図示しないコイルスプリングにより、図中左回りに回動可能に設けれる。
【００１９】
［解除レバー１７］
図３に示すように、解除レバー１７は、係止爪３７の後方に隣接して設けられ、図示しないコイルスプリングにより図中右回りに付勢される。この右回りの付勢により、解除レバー１７の底部に形成された第一テコ３９が、係止爪３７の後端に形成された突起４１を押し上げることで、係止爪３７を左回りに付勢し、係止爪３７の先端がラダーベルト１１の歯２１に係止した状態を維持する。
【００２０】
図４に示すように、解除レバー１７を引いて、コイルスプリングの付勢力に抗し、図中左回りに回動すると、解除レバー１７の底部に形成され第一テコ３９と係止爪３７の突起４１を挟んで反対側に設けられて第二テコ４３が、係止爪３７の突起４１を押し下げることになり、係止爪３７を右回りに回動し、係止爪３７の先端３８がダーベルトの歯２１から外れ、係止が解除される。
【００２１】
［ハンドル１９］
ハンドル１９は、両端が、両ラチェット具の両解除レバーを連結している。そして、ラダーベルト１１の自由端方向向きにＵ字状に曲げられている。ハンドル１９は、柔らかいチューブ材４５の中に心材４７が通されたもので、この心材４７が、解除レバー１７の先端に形成された孔を通して固定される。
【００２２】
［第二の締着具９］
図１，図２に示すように、脛の部分を締着する第二の締着具９は、靴べら型短下肢装具５の脛の部位にベルト４９が設けられる。ベルト４９の一端が、靴べら型短下肢装具５の開放形状の一方の縁部に、回動可能に設けられる。このベルト４９の中央には、当て材５１が設けられ、脛に当てられる。ベルト４９の他端は、面ファスナー５３により、靴べら型短下肢装具５の開放形状の他方の縁部に、固定される。
【００２３】
「実施形態の効果」
図１に示すように、靴べら型短下肢装具５を装着する際には、使用者は、まず、ハンドル１９をつかんで両ラダーベルトを回動して前方に倒す。次に、使用者の下肢を靴べら型短下肢装具５の開放された形状の中に載せる。その後に、ハンドル１９をつかんで両ラダーベルトを回動して略上方に立てる。そして、図２に示すように、当て具１３を下肢の足首に向かって押し付けると、この当て具１３の左右を保持する両ラチェット具が、両ラダーベルトに沿って基端方向へスライドする。当て具１３が足首に当たることで、このスライドが完了する。その位置で、ラチェット具１５は、図３に示すコイルスプリングの働きにより、ラダーベルト１１に係止し、当て具１３は固定される。これにより、当て具１３による足首の締着が行なわれる。
【００２４】
このようにして、両ラダーベルトを回動して略上方に立てた後は、当て具１３を下肢の足首に向かって押し付けるだけでよいので、いわばワンタッチで、締着を行える。
次に、靴べら型短下肢装具５を外す際には、使用者は、Ｕ字状のハンドル１９をつかんで、ラダーベルト１１の略自由端方向へ引く。すると、図４に示すように、解除レバー１７が略自由端方向へ引かれることになり、ラチェット具１５はラダーベルト１１との係止を解除する。さらにハンドル１９を引き続けることで、ラチェット具１５は、ラダーベルト１１に沿って略自由端方向へスライドする。これにより、当て具１３は足首から離れ締着が解除される。
【００２５】
このようにして、ハンドル１９をつかんで引くだけでよいので、いわばワンタッチで、締着が解除される。
【００２６】
「他の実施形態」
以上の実施形態では、ハンドル１９は完全なＵ字状であったが、他の実施形態では、四角形や円に近い不完全なＵ字状であっても構わない。
以上の実施形態では、履物３は、靴べら型短下肢装具５であったが、他の実施形態では、他の型の下肢装具、あるいはスキー靴、または特殊靴など、他の種類の履物３であっても、本発明を実施することは可能である。
以上の実施形態では、解除レバー１７は、係止爪３７の後方に隣接して設けられ、テコや突起４１の働きで、係止爪３７を制御する形態であったが、他の実施形態では、そのようなテコや突起による形態に限らない。また、解除レバーと係止爪が別体ではなく、一体であってもかまわない。すなわち、解除レバーがラチェット具に設けられ引かれることでラダーベルトとの係止を解除するラチェット具であれば、この発明に使用できる。
【符号の説明】
【００２７】
１…締着具、３…履物、５…靴べら型短下肢装具、７…第一の締着具、９…第二の締着具、１１…ラダーベルト、１３…当て具、１５…ラチェット具、１７…解除レバー、１９…ハンドル、２１…歯、２３…斜辺、２５…短辺、２７…抜け止、２９…クッション材、３１…スライドベース金具、３３…反対面、３５…フランジ部、３７…係止爪、３９…第一テコ、４１…突起、４３…第二テコ、４５…チューブ材、４７…心材、４９…ベルト、５１…当て材、５３…面ファスナー。
【図１】
2013063125.tif 000003
【図２】
2013063125.tif 000004
【図３】
2013063125.tif 000005
【図４】
2013063125.tif 000006